(57)【要約】【課題】コンベアの左右側面を規制しつつ走行案内する固定滑りガイドと可動滑りガイドとの協働により、一連のベルトコンベアの振り分け動作を招来し、装置の簡素化とコストダウンを達成することができると共に、ワークを搬入側（下流側）から搬出側（上流側）の各振り分け搬送路に安定に支持しつつ搬送することができるワーク振り分け装置を提供する。【解決手段】ベルトコンベア１の下流側に配した固定滑りガイド２で上記ベルトコンベア１の左右側面を規制しつつ走行を案内すると共に、上記ベルトコンベア１の上流側に配した可動滑りガイド３で上記ベルトコンベア１の左右側面を規制しつつ走行を案内し、該可動滑りガイド３をガイドアクチュエータ４により左右方向に移動せしめ、上記ベルトコンベア１の左右側面の一方を同可動滑りガイド３の一方で押圧して上記固定滑りガイド２を起点とする左右振り分け動作を得る構成とした。【選択図】        図１
2008156079.tif 000002
【特許請求の範囲】
【請求項１】
ワーク搬送用のベルトコンベアの下流側に同コンベアの左右側面に沿い並設された固定滑りガイドを配し、該固定滑りガイドで上記ベルトコンベアの左右側面を規制しつつ走行を案内すると共に、上記ベルトコンベアの上流側に同コンベアの左右側面に沿い並設された可動滑りガイドを配し、該可動滑りガイドで上記ベルトコンベアの左右側面を規制しつつ走行を案内し、該可動滑りガイドをガイドアクチュエータにより左右方向に移動せしめ、該可動滑りガイドの移動により上記ベルトコンベアの左右側面の一方を同可動滑りガイドの一方で押圧して上記固定滑りガイドを起点とする左右振り分け動作を得る構成としたことを特徴とするワーク振り分け装置。
【請求項２】
上記固定滑りガイドはその対向間隔を上流側へ向け漸次拡大する滑りガイド曲面を有し、上記可動滑りガイドはその対向間隔を下流側へ向け漸次拡大する滑りガイド曲面を有することを特徴とする請求項１記載のワーク振り分け装置。
【発明の詳細な説明】
【技術分野】
【０００１】
本発明はベルトコンベアを搬出路側において複数方向に振り分けるワーク振り分け、同コンベア上の食品や機械部品等のワークを複数方向に振り分けるワーク振り分け装置に関する。
【背景技術】
【０００２】
従来、並行して走行せる一双のチェーン間に多数のガイド棒を並設し、各ガイド棒に矩形セグメントを貫挿して搬送路を形成し、ガイド棒と矩形セグメントを上記チェーンにより走行しながら、各セグメントをガイド機構により左右方向（搬送方向と直交する方向）に移動することにより搬送路を複数方向に振り分けるキャタピラ構造のワーク振り分け装置が既知である。
【０００３】
上記キャタピラ形式のワーク振り分け装置は株式会社アキュレックス（住所：東京都中央区日本橋浜町３−３１−８）等で販売されている。
【発明の開示】
【発明が解決しようとする課題】
【０００４】
然しながら上記ワーク振り分け装置は搬送路構造が極めて複雑で高価であるばかりか、各スライド板を左右方向に移動した時に、該スライド板群で形成される搬送路の左右側面に段違いを生じ、該段違い部でワークの落下の恐れを有する等、ワークを下流側（搬入側）から上流側（搬出側）の振り分け搬送路に安定して搬送することが困難なる問題を有している。
【課題を解決するための手段】
【０００５】
本発明は上記問題点を有効に解決するワーク振り分け装置を提供するものである。該ワーク振り分け装置は、ワーク搬送用のベルトコンベアの下流側に同コンベアの左右側面に沿い並設された固定滑りガイドで上記コンベアの左右側面を規制しつつ走行を案内する構成とすると共に、上記ベルトコンベアの上流側に同コンベアの左右側面い沿い並設された可動滑りガイドで上記ベルトコンベアの左右側面を規制しつつ走行を案内する構成を有する。
【０００６】
そして上記可動滑りガイドをガイドアクチュエータにより左右方向（搬送方向と直交する方向）に移動せしめ、該可動滑りガイドの移動により上記コンベアの左右側面の一方を該可動滑りガイドの一方で押圧して上記固定滑りガイドを起点とする左右振り分け動作を得るようにしたものである。
【０００７】
上記固定滑りガイドはその対向間隔を上流側へ向け漸次拡大する滑りガイド曲面を有し、上記可動滑りガイドはその対向間隔を下流側へ向け漸次拡大する滑りガイド曲面を有し、可動滑りガイドを左方向へ移動してコンベアが左方向へ振り分けられた時に、上記固定滑りガイドの左側の滑りガイド曲面と可動滑りガイドの右側の滑りガイド曲面で走行を案内する。
【０００８】
同様に、可動滑りガイドを右方向へ移動してコンベアが右方向へ振り分けられた時に、固定滑りガイドの右側の滑りガイド曲面と可動滑りガイドの左側の滑りガイド曲面で走行を案内する。
【発明の効果】
【０００９】
本発明によれば、上記コンベアの左右側面を規制しつつ走行案内する固定滑りガイドと可動滑りガイドとの協働により、一連のベルトコンベアの振り分け動作を招来し、装置の簡素化とコストダウンを達成することができると共に、ワークを搬入側（下流側）から搬出側（上流側）の各振り分け搬送路に安定に支持しつつ搬送することができる。
【発明を実施するための最良の形態】
【００１０】
以下本発明に係るワーク振り分け装置の最良の形態を図１乃至図５に基づき説明する。
【００１１】
１はホイール２１に無端回走可能に懸装された一連のベルトコンベアであり、該コンベア１は左右方向に蛇行運行可能な構造を有する。
【００１２】
上記ベルトコンベア１の下流側（搬入側）に同コンベア１の左右側面（コンベア１走行方向と直交する方向の側面）に沿い固定滑りガイド２を並設し、該固定滑りガイド２で上記コンベア１の左右側面を規制しつつ走行を案内する。
【００１３】
他方上記ベルトコンベア１の上流側（搬出側）に同コンベア１の左右側面に沿い可動滑りガイド３を並設し、該可動滑りガイド３で上記ベルトコンベア１の左右側面を規制しつつ走行を案内する。
【００１４】
上記可動滑りガイド３を左右方向（走行方向と直交する方向）に移動せしめるガイドアクチュエータ４を備え、該ガイドアクチュエータ４による可動滑りガイド３の移動により、上記コンベア１の左右側面を可動滑りガイド３間に捕捉しつつ、同左右側面の一方を上記可動滑りガイド３の一方で押圧して上記固定滑りガイド２を起点とする左右振り分け動作を得るように構成する。
【００１５】
上記固定滑りガイド２はその対向間隔を上流側へ向け漸次拡大する滑りガイド曲面５を有し、上記可動滑りガイド３はその対向間隔を下流側へ向け漸次拡大する滑りガイド曲面６を有する。
【００１６】
上記固定滑りガイド２の滑りガイド曲面５の下流側基部には、ベルト１の左右幅と略等幅の平行ガイド面５ｃを連成し、同様に可動滑りガイド３の滑りガイド曲面６の上流側基部には、ベルト１の左右幅と略等幅の平行ガイド面６ｃを連成し、両平行ガイド面５ｃと６ｃをベルト１の左右側面に常時当接状態にして、両平行ガイド面５ｃ間と６ｃ間にベルト１を捕捉する。
【００１７】
上記の通り、固定滑りガイド２と可動滑りガイド３は、その対向面（内側面）に滑りガイド曲面５，６と平行ガイド面５ｃと６ｃとを有する。
【００１８】
可動滑りガイド３を左方向へ移動してコンベア１が左方向へ振り分けられた時に、上記固定滑りガイド２の左側の滑りガイド曲面５ａと可動滑りガイド３の右側の滑りガイド曲面６ｂで走行を案内する構成とする。
【００１９】
同様に、可動滑りガイド３を右方向へ移動してコンベア１が右方向へ振り分けられた時に、固定滑りガイド２の右側の滑りガイド曲面５ｂと可動滑りガイド３の左側の滑りガイド曲面６ａで走行を案内する構成とする。
【００２０】
ワーク振り分け装置において使用するコンベア１は、左右方向に蛇行運行可能な屈撓性を有するベルト形のコンベアであり、該蛇行運行可能なベルトコンベア１は種々の構造のものが既知であり、何れかを選択して使用する。
【００２１】
図５は蛇行運行可能な構造を有するリンク形ベルトコンベア１を例示しており、該コンベア１は図示のように、ベルト１の左右方向（走行方向と直交する方向）に細長い多数のリンク７を前後方向（走行方向）に並設し、各リンク７の前縁と後縁に沿い複数の継手８を突設し、各継手８を噛み合わせると共に、該噛み合わせた継手８にピン９を遊貫挿して全リンク７をエンドレスにリンク結合した構造を有する。
【００２２】
上記リンク形ベルトコンベア１の各リンク７はピン９の遊貫挿により互いに前後方向に遊動しつつ傾動し、蛇行運行可能である。
【００２３】
又図２，図３に示すように、上記固定滑りガイド２は固定ブラケット１０に支持し、同様に可動滑りガイド３は可動ブラケット１１に支持する。
【００２４】
上記固定ブラケット１０と可動ブラケット１１はベルト１の直下に水平に配された荷台１２と、該荷台１２の左右両端からベルト１の左右側面の側方へ向け対向して立ち上げられたアーム１３とを有し、両アーム１３間にガイド座１４を横架し、該ガイド座１４の上面に上記固定滑りガイド２又は可動滑りガイド３を一体に並設した構造を有する。
【００２５】
上記固定滑りガイド２と可動滑りガイド３は夫々上下二段に配し、上段の固定滑りガイド２と可動滑りガイド３でベルトコンベア１の上位走行部（往動部）の左右側面を案内し、下段の固定滑りガイド２と可動滑りガイド３でベルトコンベア１の下位走行部（復動部）の左右側面を案内する。
【００２６】
従って上記ガイド座１４は上記アーム１３間に上下二段に横架し、各ガイド座１４上に上記固定滑りガイド２又は可動滑りガイド３を並設する。
【００２７】
上記上下二段の固定滑りガイド２と固定ブラケット１０とで固定ガイドユニットを構成する。同様に、上記上下二段の可動滑りガイド３と可動ブラケット１１とで可動ガイドユニットを構成する。
【００２８】
他方上記可動滑りガイド３を支持する可動ブラケット１１の荷台１２には、スライド筒１５を一体に設け、該スライド筒１５にベルト１の左右方向に延びるガイドステー１６を貫挿し、該ガイドステー１６に沿ってスライド筒１５と可動ブラケット１１の左右方向への移動を案内する。
【００２９】
更に上記可動滑りガイド３のガイドアクチュエータ４として、即ち可動滑りガイド３を支持する可動ブラケット１１のアクチュエータ４として、可動ブラケット１１の下方にベルト１の左右方向において無端回走せる、無端駆動チェーンに代表される無端駆動条体１７を配し、該無端駆動条体１７と上記可動ブラケット１１の荷台１２とを連結材１８にて連結する。
【００３０】
よって無端駆動条体１７が懸装されたホイール１９をモーター２０によって左右方向へ所定量移行すると、可動ブラケット１１が連結材１８を介して該移動量に応じた距離だけ左右方向へ移動すると共に、可動滑りガイド３が左右方向へ移動する。
【００３１】
この結果、ベルトコンベア１が上流側において可動滑りガイド３間に捕捉されつつ左右方向へ定量移動し、振り分け搬送路Ｒ１，Ｒ２，Ｒ３を形成する。Ｒ１は左振り分け搬送路、Ｒ２は中央振り分け搬送路、Ｒ３は右振り分け搬送路を示している。これによってベルトコンベア１上に載置された食品や機械部品等のワークを各振り分け搬送路に振り分け、搬出する。
【００３２】
上記可動滑りガイド３の移動距離を設定する手段として、上記無端駆動条体１７の側面には被検知部２２を設けると共に、同無端駆動条体１７の走行によって対向するセンサー２３を振り分け搬送路Ｒ１，Ｒ２，Ｒ３毎に設け、無端駆動条体１７が移行することによってセンサー２３と被検知部２２が対向した時に、モーター２０を停止して無端駆動条体１７を停止し、上記振り分け搬送路Ｒ１，Ｒ２，Ｒ３を形成する。
【００３３】
以上によって、ワーク搬送用のベルトコンベア１の下流側に同コンベア１の左右側面に沿い並設された固定滑りガイド２を配し、該固定滑りガイド２で上記ベルトコンベア１の左右側面を規制しつつ走行を案内すると共に、上記ベルトコンベア１の上流側に同コンベア１の左右側面に沿い並設された可動滑りガイド３を配し、該可動滑りガイド３で上記ベルトコンベア１の左右側面を規制しつつ走行を案内し、該可動滑りガイド３をガイドアクチュエータ４により左右方向に移動せしめ、該可動滑りガイド３の移動により上記ベルトコンベア１の左右側面の一方を同可動滑りガイド３の一方で押圧して上記固定滑りガイド２を起点とする左右振り分け動作を得るワーク振り分け装置が構成される。
【図面の簡単な説明】
【００３４】
【図１】ワーク振り分け装置の振り分け動作を示す平面図。
【図２】上記ワーク振り分け装置を形成する可動滑りガイドのアクチュエータと可動ブラケットと可動滑りガイドを、ベルト走行方向と直交する方向において側面視する図。
【図３】上記ワーク振り分け装置を形成するベルトコンベアと上記アクチュエータの位置検出手段を示す側面図。
【図４】上記アクチュエータにおける移行距離を検出する検出手段の平面図。
【図５】ベルトコンベアの一例を示す要部平面図。
【符号の説明】
【００３５】
１…ベルトコンベア、２…固定滑りガイド、３…可動滑りガイド、４…ガイドアクチュエータ、５，５ａ，５ｂ…固定滑りガイドの滑りガイド曲面、５ｃ…固定滑りガイドの平行ガイド面、６，６ａ，６ｂ…可動滑りガイドの滑りガイド曲面、６ｃ…可動滑りガイドの平行ガイド面、７…リンク、８…継手、９…ピン、１０…固定ブラケット、１１…可動ブラケット、１２…荷台、１３…アーム、１４…ガイド座、１５…スライド筒、１６…ガイドステー、１７…無端駆動条体、１８…連結材、１９…ホイール、２０…モーター、２１…ホイール、２２…被検知部、２３…センサー。
【図１】
2008156079.tif 000003
【図２】
2008156079.tif 000004
【図３】
2008156079.tif 000005
【図４】
2008156079.tif 000006
【図５】
2008156079.tif 000007